(57)【要約】【課題】    一般的な集水枡や管路に容易に設置でき、透過流量の大きい通水ダクトを実現する。【解決手段】  水平姿勢に置かれた短い円筒形の外筒11と、その中央高さに全長にわたって水平方向に挿入された孔あき板13と、一方の端面を孔あき板13より低い位置から上端までふさぐ第１のふさぎ材12と、他方の端面を下端から孔あき板13よりも高い位置までふさぐ第２のふさぎ材14とで通水ダクト１を構成する。【選択図】    図１
2006322173.tif 000002
【特許請求の範囲】
【請求項１】
水平姿勢に置かれた短い円筒形の外筒（11）と、その略中央高さにこの外筒（11）の全長にわたって水平方向に挿入された孔あき板（13）と、外筒（11）の一方の端面を前記の孔あき板（13）よりも低い位置から上端までふさぐ第１のふさぎ材（12）と、外筒（11）の他方の端面を下端から前記の孔あき板（13）よりも高い位置までふさぐ第２のふさぎ材（14）とからなることを特徴とする通水ダクト。
【請求項２】
第１の集水枡（2a）とこれに接続する第２の集水枡（2b）との接続部分に請求項１に記載の通水ダクト（１）を挿入してなる２連枡式集水施設。
【請求項３】
集水枡（２）とこれに接続する流出管（５）との接続部分に請求項１に記載の通水ダクト（１）を挿入してなる一般敷地用集水施設。
【発明の詳細な説明】
【技術分野】
【０００１】
本発明は、道路や一般敷地から集められた雨水が集水枡を通過する際に使用する通水ダクトおよびこれを使用する集水施設に関する。
【背景技術】
【０００２】
地下水位の低下を抑制するとともに水処理施設の負荷を軽減するため、大量降雨時以外の通常の降雨は下水道に放流せず、集水枡から地盤内に浸透させることが行なわれている。その際、雨水に混入してくる油分や紙屑等の浮遊物、あるいは汚泥などの沈殿物は集水枡の段階で補集することが好ましいので、集水枡の入口や出口に金網やフィルタを設け、下流に流さないようにするのが一般的である。しかしこれらの金網やフィルタはすぐに目詰まりするので、そのメンテナンスに手間がかかるという問題点がある。
【０００３】
特許文献１には、通過する雨水から浮遊物や沈殿物を除去する目的で集水枡の側面開口に取り付ける通水ダクトが記載されている。図８でこれを簡単に説明する。
２は集水枡で、その外側や周囲は空間内に砕石等を充填した浸透層である。集水枡２の側面開口にこれをふさぐように通水ダクト７が取り付けられており、71は前板、72はこれに接合された半割りの外筒、73は底部において前板71に接合され、頂部が開口する同じく半割りの内筒、74は前板71の底部付近に設けられた通水孔、75は前板71の裏側と内筒73との間の開口、76は外筒72の底部付近に設けられた通水孔である。
【０００４】
集水枡２内の水位が内筒73の頂部以下であれば水は集水枡２内に留まっているが、これを超えるとあふれて外側へ流出する。しかし前板71の通水孔74が開口75よりも低いため、油分や浮遊物は集水枡２内に残り、また土砂等の沈殿しやすいものは内筒73内を上昇せずに残るため、水分だけが内筒73を超えて通水孔76から外側へ排出される。
この通水ダクト７は、浮遊物と沈殿物の除去という機能は果すけれども、取り付ける部分の形状が横長の長方形であることが必要であり、また実質の通過断面積が開口に比べて小さいので多数とりつけなければならないなどの問題点がある。
【特許文献１】特開２００３−３４２９９９号公報
【発明の開示】
【発明が解決しようとする課題】
【０００５】
本発明は、一般的な集水枡や円断面の管路に設置でき、透過流量も大きい通水ダクトを実現することを目的とする。
【課題を解決するための手段】
【０００６】
本発明の通水ダクトは、水平姿勢に置かれた短い円筒形の外筒と、その略中央高さにこの外筒の全長にわたって水平方向に挿入された孔あき板と、外筒の一方の端面を前記の孔あき板よりも低い位置から上端までふさぐ第１のふさぎ材と、外筒の他方の端面を下端から前記の孔あき板よりも高い位置までふさぐ第２のふさぎ材とからなることを特徴とするものである。
【０００７】
また、本発明の２連枡式集水施設は、第１の集水枡とこれに接続する第２の集水枡との接続部分に前記の通水ダクトを挿入してなるものであり、また本発明の一般敷地用集水施設は、集水枡とこれに接続する流出管との接続部分に前記の通水ダクトを挿入してなるものである。
【発明の効果】
【０００８】
本発明によれば、通常の集水枡や管路に容易に取り付けられ、透過流量の大きい通水ダクトが実現し、集水施設、とくに浸透式の集水施設が普及して水処理施設の負荷が軽減され、地下水位の低下を抑制できるという、すぐれた効果を奏する。
【発明を実施するための最良の形態】
【０００９】
本発明の実施例を図面により説明する。図１は実施例の通水ダクトを主として断面で示す正面図、図２は図１における左側面図、図３は同じく右側面図、図４は実施例の通水ダクトの斜視図で、１は集水枡の接続部分や管路等、円形断面部分に設置される通水ダクト、11は外筒、12は上流側に向けられる第１のふさぎ材、13は孔あき板、14は下流側に向けられる第２のふさぎ材、15は外筒の端部付近に設けられたフランジ、16はフランジ15の裏側に挿入されるパッキン、17は押しつけねじである。想像線で示した2aは２連枡における第１の集水枡、2bは第２の集水枡である。
【００１０】
この通水ダクトは、水平姿勢に置かれた短い円筒形の外筒11と、その略中央高さにこの外筒の全長にわたって水平方向に挿入された孔あき板13と、外筒の一方の端面を前記の孔あき板よりも低い位置から上端までふさぐ第１のふさぎ材12と、外筒の他方の端面を下端から前記の孔あき板13よりも高い位置までふさぐ第２のふさぎ材14とから構成されている。孔あき板13はパンチメタルや金網でもよい。外筒11の全長を十分に取り、孔あき板13の開口面積を大きくすれば必要な透過流量は容易に確保できる。材質はステンレス鋼板、塩化ビニル樹脂など、さびないで洗いやすいものがよい。
【００１１】
上記以外のフランジ15、パッキン16、押しつけねじ17はいずれも周囲の隙間をふさいだり、この通水ダクト１を安定して保持するためのものであるが、下水道関係の集水枡や管路には規格があっておよその寸法は決まっているから、これらについて特に問題はない。
なお、外筒11を二重管とし、外側のものをねじ等で集水枡に固定し、内側のものを必要に応じて適宜取り出せるように構成すれば、メンテナンスがしやすい。
【００１２】
実施例の通水ダクト１の機能を、図５により説明する。この図は２連枡における第１の集水枡2aと第２の集水枡2bとの接続部分を示す断面図で、集まった水はまず第１の集水枡2aに入り、水位が上昇するとオーバーフローして第２の集水枡2bに進入するのであるが、その接続部分に通水ダクト１が挿入されている。オーバーフローする水位は出口側の第２のふさぎ材14の高さであるが、入口側の第１のふさぎ材12の高さはこれより低いので、第１の集水枡2a内の水面より下の水が通水ダクト１内に入り、孔あき板13を通過して第２のふさぎ材14を超えた水が第２の集水枡2bに流入する。したがって第１の集水枡2a内の底部に溜まった沈殿物や液面付近にある浮遊物、油分等は第１の集水枡2a内に残り、混入物のない水だけが第２の集水枡2bに流入する。
【００１３】
第１のふさぎ材12、孔あき板13、第２のふさぎ材14の高さ、面積を適宜変えることにより、通水量、濾過精度を調整できる。また、孔あき板13の孔の形状は丸とは限らず、さまざまなものが可能である。また孔の上部と下部の面積を変えて、濾過精度を調整することもできる。図１に示したように、孔を孔あき板13の下面から突出させることで、濾過精度を向上させることもできる。さらに、孔あき板13を２枚重ねとし、１枚を簡単に取り外せる構造とすれば、目詰まりなどに対する対応が容易である。
【００１４】
図６は例えば道路脇の側溝などに設けられる２連枡から直接その部分の地盤内に雨水を浸透させるようにした２連枡式集水施設を示す断面図で、符号はこれまでに説明したもののほか、3aは第１の集水枡2aに取り付けられる開放式のグレーチング蓋、3bは第２の集水枡2bに取り付けられる密閉蓋、５は第２の集水枡2bの中腹に開口する流出管、６は第２の集水枡2bの底部に接続する浸透トレンチで、61は孔あき管、62は砕石層、63は遮水シート、64は透水シートである。
【００１５】
道路面などに降った雨は側溝に集まり、まず第１の集水枡2aに流入する。第１の集水枡2aは通常「泥溜め」あるいは「土砂溜め」と呼ばれるように、ここに滞留する間に泥や土砂が沈殿する。しかし道路面にこぼれていた油分、紙屑、わら屑等はここまで流されて第１の集水枡2aに流入し、水面に浮いている。すでに説明したように通水ダクト１を通過することによってこれらの浮遊物は濾過され、水だけが第２の集水枡2bに流入する。通常の流量であれば、水は底部から浸透トレンチ６の孔あき管61、砕石層62を経由して地盤内に浸透するが、豪雨等で瞬間流量が多いと浸透しきれずに第２の集水枡2bの水位が上昇し、流出管５から流出する。したがって、この流出管５を雨水本管に接続しておけば、従来の経路によりしかるべき水処理施設に送られる。つまり、通常の降雨はほとんどが地盤内に浸透し、水処理施設に流れるのは豪雨の際の過剰な雨水だけであるから、地下水の枯渇等の問題が解消すると共に水処理施設の負荷も軽減される。また、浸透トレンチ６内に流出するのは土砂や浮遊物のない水であるから、砕石層62が目詰まりするようなこともない。
【００１６】
図７は例えば宅地などの一般敷地に設けられる集水施設を示す断面図で、符号はこれまでに説明したもののほか４は宅地内等に敷設される流入管である。集水枡２の中腹に流出管５が接続され、接続部分に通水ダクト１が配置されている。下水管を接続する通常のソケットを使用して通水ダクト１を流出管５に接続し、さらに雨水本管に接続すれば、浮遊物や沈殿物のない水だけが雨水本管に流出する。
【００１７】
初期雨水を図６、図７に示した集水枡に一時貯水し、吐出側の流量を調整することにより、初期雨水に含まれる汚濁物質の比重差利用して雨水と分離させることができる。
【図面の簡単な説明】
【００１８】
【図１】本発明実施例の通水ダクトを示す正面図である。
【図２】図１の通水ダクトの左側面図である。
【図３】図１の通水ダクトの右側面図である。
【図４】図１の通水ダクトの斜視図である。
【図５】図１の通水ダクトの機能を説明する断面図である。
【図６】実施例の２連枡式集水施設を示す断面図である。
【図７】実施例の一般敷地用集水施設を示す断面図である。
【図８】従来の技術における通水ダクトの斜視図である。
【符号の説明】
【００１９】
１、７    通水ダクト
２    集水枡
2a    第１の集水枡
2b    第２の集水枡
３    蓋
3a    グレーチング蓋
3b    密閉蓋
４    流入管
５    流出管
６    浸透トレンチ
11    外筒
12    第１のふさぎ材
13    孔あき板
14    第２のふさぎ材
15    フランジ
16    パッキン
17    押しつけねじ
61    孔あき管
62    砕石層
63    遮水シート
64    透水シート
71    前板
72    外筒
73    内筒
74、76    通水孔
75    開口
【図１】
2006322173.tif 000003
【図２】
2006322173.tif 000004
【図３】
2006322173.tif 000005
【図４】
2006322173.tif 000006
【図５】
2006322173.tif 000007
【図６】
2006322173.tif 000008
【図７】
2006322173.tif 000009
【図８】
2006322173.tif 000010